(57)【要約】【課題】貯湯タンクに貯湯するときに必要となる熱エネルギー量の低減を図り、省エネルギー化を図る。【解決手段】貯湯タンク１の底部から取り出した湯水を加熱手段４を通過させて加熱し、その加熱された湯水を貯湯タンク１の上部に戻す加熱式循環手段と、その加熱式循環手段の運転を制御する運転制御手段とが設けられ、加熱手段４が、空調対象空間を空調する空調運転を行うヒートポンプ装置の冷媒を通過させるヒートポンプ式加熱部３３と補助加熱部３５を備えて構成され、加熱式循環手段が、貯湯タンク１内の湯水をヒートポンプ式加熱部３３を通過させない状態で循環させるバイパス循環状態に切り換え自在に構成され、運転制御手段が、ヒートポンプ装置が冷房運転中に、貯湯要求があると、加熱式循環手段をバイパス循環状態に切り換えるように構成されている。【選択図】　　　　図１
2004012040.tif 000002
【特許請求の範囲】
【請求項１】
貯湯タンクの底部から取り出した湯水を加熱手段を通過させて加熱し、その加熱された湯水を前記貯湯タンクの上部に戻す加熱式循環手段と、その加熱式循環手段の運転を制御する運転制御手段とが設けられ、
前記加熱手段が、空調対象空間を空調する空調運転を行うヒートポンプ装置の冷媒を通過させるヒートポンプ式加熱部と補助加熱部を備えて構成され、
前記運転制御手段が、貯湯要求があると、前記加熱式循環手段を運転させるように構成されている貯湯式の給湯熱源装置であって、
前記加熱式循環手段が、前記貯湯タンク内の湯水を前記ヒートポンプ式加熱部を通過させない状態で循環させるバイパス循環状態に切り換え自在に構成され、前記運転制御手段が、前記ヒートポンプ装置が冷房運転中に、前記貯湯要求があると、前記加熱式循環手段を前記バイパス循環状態に切り換えるように構成されている貯湯式の給湯熱源装置。
【請求項２】
前記運転制御手段が、前記ヒートポンプ装置が設定暖房負荷以上の暖房負荷での暖房運転中に、前記貯湯要求があると、前記加熱式循環手段を前記バイパス循環状態に切り換えるように構成されている請求項１に記載の貯湯式の給湯熱源装置。
【請求項３】
前記運転制御手段が、前記ヒートポンプ装置が立ち上げ用の暖房運転中に、前記貯湯要求があると、前記加熱式循環手段を前記バイパス循環状態に切り換えるように構成されている請求項１または２に記載の貯湯式の給湯熱源装置。
【発明の詳細な説明】
【０００１】
【発明の属する技術分野】
本発明は、貯湯タンクの底部から取り出した湯水を加熱手段を通過させて加熱し、その加熱された湯水を前記貯湯タンクの上部に戻す加熱式循環手段と、その加熱式循環手段の運転を制御する運転制御手段とが設けられ、前記加熱手段が、空調対象空間を空調する空調運転を行うヒートポンプ装置の冷媒を通過させるヒートポンプ式加熱部と補助加熱部を備えて構成され、前記運転制御手段が、貯湯要求があると、前記加熱式循環手段を運転させるように構成されている貯湯式の給湯熱源装置に関する。
【０００２】
【従来の技術】
上記のような貯湯式の給湯熱源装置は、運転制御手段が、貯湯要求があると、加熱式循環手段を運転させて、貯湯タンクの底部から取り出した湯水を、ヒートポンプ式加熱部を備えた加熱手段を通過させることにより加熱し、その加熱された湯水を貯湯タンクの上部に戻して、ヒートポンプ装置の冷媒を利用して貯湯タンク内に貯湯するものである（例えば、特開平２００１−２９６０５７号公報）。
【０００３】
この種の貯湯式の給湯熱源装置では、運転制御手段は、ヒートポンプ装置が冷房運転中において、貯湯要求があると、加熱式循環手段を運転させ、貯湯タンクの底部から取り出した湯水を、ヒートポンプ式加熱部を通過させる状態で循環させて、貯湯タンク内に貯湯するようにしている。
【０００４】
【発明が解決しようとする課題】
しかしながら、上記従来の貯湯式の給湯熱源装置では、ヒートポンプ装置が冷房運転中に貯湯するときに、貯湯タンクの底部から取り出した湯水をヒートポンプ式加熱部を通過させるようにしているので、貯湯タンクの底部から取り出した湯水がヒートポンプ式加熱部にて放熱されてしまい、貯湯タンクに貯湯するときに必要となる熱エネルギー量が増大する虞がある。
【０００５】
本発明は、かかる点に着目してなされたものであり、その目的は、貯湯タンクに貯湯するときに必要となる熱エネルギー量の低減を図り、省エネルギー化を図ることが可能となる貯湯式の給湯熱源装置を提供する点にある。
【０００６】
【課題を解決するための手段】
この目的を達成するために、請求項１に記載の発明によれば、貯湯タンクの底部から取り出した湯水を加熱手段を通過させて加熱し、その加熱された湯水を前記貯湯タンクの上部に戻す加熱式循環手段と、その加熱式循環手段の運転を制御する運転制御手段とが設けられ、前記加熱手段が、空調対象空間を空調する空調運転を行うヒートポンプ装置の冷媒を通過させるヒートポンプ式加熱部と補助加熱部を備えて構成され、前記運転制御手段が、貯湯要求があると、前記加熱式循環手段を運転させるように構成されている貯湯式の給湯熱源装置において、
前記加熱式循環手段が、前記貯湯タンク内の湯水を前記ヒートポンプ式加熱部を通過させない状態で循環させるバイパス循環状態に切り換え自在に構成され、前記運転制御手段が、前記ヒートポンプ装置が冷房運転中に、前記貯湯要求があると、前記加熱式循環手段を前記バイパス循環状態に切り換えるように構成されている。
【０００７】
すなわち、運転制御手段が、ヒートポンプ装置が冷房運転中に貯湯するときには、加熱式循環手段を貯湯タンク内の湯水をヒートポンプ式加熱部を通過させない状態で循環させるバイパス循環状態に切り換えて運転させることが可能となるので、ヒートポンプ装置が冷房運転中に貯湯するときに、貯湯タンクから取り出した湯水がヒートポンプ式加熱部にて放熱させるのを阻止することが可能となる。
したがって、貯湯タンクに貯湯するときに必要となる熱エネルギー量の低減を図り、省エネルギー化を図ることが可能となる貯湯式の給湯熱源装置を提供できるに至った。
【０００８】
請求項２に記載の発明によれば、前記運転制御手段が、前記ヒートポンプ装置が設定暖房負荷以上の暖房負荷での暖房運転中に、前記貯湯要求があると、前記加熱式循環手段を前記バイパス循環状態に切り換えるように構成されている。
【０００９】
すなわち、運転制御手段が、ヒートポンプ装置が設定暖房負荷以上の暖房負荷での暖房運転中に貯湯するときには、加熱式循環手段をバイパス循環状態に切り換えることが可能となるので、空調のために用いられていた冷媒の温度が急激に変化するなどして、空調運転に悪影響が及ぶことを阻止して、空調運転を適正に行うことが可能となる。
【００１０】
説明を加えると、運転制御手段が、ヒートポンプ装置が設定暖房負荷以上の暖房負荷で暖房運転しているときには、貯湯タンクの底部から取り出した湯水をヒートポンプ式加熱部を通過させる状態で循環させると、ヒートポンプ式加熱部において、空調のために用いられていた冷媒にて湯水を加熱することになるので、空調のために用いられていた冷媒の温度が急激に変化して、空調対象空間を適正に空調できないなど空調運転に悪影響を及ぼすことになる。
それに対して、運転制御手段が、ヒートポンプ装置が設定暖房負荷以上の暖房負荷で暖房運転しているときには、貯湯タンクの底部から取り出した湯水をヒートポンプ式加熱部を通過させない状態で循環させるので、ヒートポンプ式加熱部において、空調のために用いられていた冷媒にて湯水を加熱することを回避し、空調のために用いられていた冷媒の温度の急激な変化を阻止して、空調運転を適正に行うことが可能となる。
【００１１】
ちなみに、運転制御手段が、ヒートポンプ装置が設定暖房負荷未満の暖房負荷で暖房運転しているときには、貯湯タンクの底部から取り出した湯水をヒートポンプ式加熱部を通過させる状態で循環させて、ヒートポンプ式加熱部において、空調のために用いられていた冷媒にて湯水を加熱しても、暖房負荷が設定暖房負荷未満であるので、ヒートポンプ装置の暖房能力を上げるように制御するなどによって、空調運転に悪影響を及ぼすことを阻止しながら、貯湯タンクに貯湯することが可能となる。
【００１２】
請求項３に記載の発明によれば、前記運転制御手段が、前記ヒートポンプ装置が立ち上げ用の暖房運転中に、前記貯湯要求があると、前記加熱式循環手段を前記バイパス循環状態に切り換えるように構成されている。
【００１３】
すなわち、運転制御手段が、ヒートポンプ装置が立ち上げ用の暖房運転中に貯湯するときには、加熱式循環手段をバイパス循環状態に切り換えることが可能となるので、ヒートポンプ装置を大きな暖房能力にて運転させる立ち上げ用の暖房運転中には、加熱式循環手段をバイパス循環状態に切り換えて、空調のために用いられていた冷媒の温度が急激に変化するなどして、空調運転に悪影響が及ぶことを阻止して、立ち上げ用の暖房運転を適正に行うことが可能となる。
【００１４】
【発明の実施の形態】
本発明にかかる貯湯式の給湯熱源装置をエンジンヒートポンプ式冷暖房給湯システムに適応した例を図面に基づいて説明する。
このエンジンヒートポンプ式冷暖房給湯システムは、図１および図２に示すように、貯湯タンク１内に温度成層を形成しながら貯湯したり、貯湯タンク１内に貯湯された湯水を給湯したり、貯湯タンク１内の湯水を加熱して外部放熱部２にて放熱する貯湯ユニットＡと、空調対象空間の空調運転と貯湯タンク１内の湯水を加熱するための加熱運転を実行可能な熱源手段としてのエンジンヒートポンプ式冷暖房装置Ｂとから構成されている。
【００１５】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４、循環路３を通流する湯水と熱交換して放熱する外部放熱部２などから構成され、循環ポンプＰ１を作動させて貯湯タンク１内の湯水を循環路３にて循環しながら、加熱部４にて加熱したり、外部放熱部２にて放熱するようにしている。
【００１６】
前記貯湯タンク１内には、その貯湯量が最低確保量以上であるかを、その湯温を検出することにより検出する最上部サーミスタＳ１、その貯湯量が少以上であるかを、その湯温を検出することにより検出する上部サーミスタＳ２、その貯湯量が中以上であるかを、その湯温を検出することにより検出する中部サーミスタＳ３、その貯湯量が満以上であるかを、その湯温を検出することにより検出する底部サーミスタＳ４が設けられている。
複数のサーミスタの設置位置は、貯湯タンク１の上位から、最上部サーミスタＳ１、上部サーミスタＳ２、中部サーミスタＳ３、底部サーミスタＳ４の順になっている。
そして、使用者の必要に応じて貯湯リモコンＲ２などにより、貯湯タンク１内の目標貯湯量を、「少」、「中」、「満」の３つの貯湯量からひとつを選択できるようにしている。
【００１７】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５における混合用給水路７の分岐箇所よりも上流側には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００１８】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、給湯路６の湯水の流量を調整する給湯用水比例バルブ１５、ミキシングバルブ８にて混合された湯水の温度を検出するミキシングサーミスタ１４が設けられている。
【００１９】
前記ミキシングサーミスタ１４よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００２０】
給湯操作手段Ｇが、貯湯出口サーミスタ１３、給水サーミスタ９、ミキシングバルブ８、ミキシングサーミスタ１４、給湯用水比例バルブ１５、給湯流量センサ２０、および、湯張り電磁弁２２などにより構成されている。
そして、一般給湯路１６に給湯するときには、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するように構成されている。
また、浴槽に湯張りするときには、一般給湯路１６に給湯するときと同様に、湯張り設定温度の湯水を給湯するように、ミキシングバルブ８の開度を調整し、湯張り電磁弁２２を開弁させ、ミキシングバブル８にて湯張り設定温度に調整された湯水を風呂戻り路１８および風呂往き路１９の両路から浴槽に供給し、浴槽内に湯張り設定量の湯水が供給されると、湯張り電磁弁２２を閉弁させて浴槽への湯張りを行うように構成されている。
【００２１】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００２２】
そして、上部接続路２５には、上部開閉弁２８が設けられ、戻し路２６には、戻し開閉弁２９が設けられ、取り出し路２７には、貯湯タンク１の底部から取り出した湯水の温度を検出する取り出しサーミスタ３０が設けられている。
【００２３】
前記加熱部４は、エンジンヒートポンプ式冷暖房装置Ｂによる冷媒を供給して湯水を加熱するヒートポンプ式加熱部３３と、エンジンヒートポンプ式冷暖房装置Ｂのエンジン排熱を回収した冷却水を供給して湯水を加熱するエンジン排熱利用式加熱部３４と、バーナの燃焼により湯水を加熱する補助加熱部３５とから構成されている。
そして、循環路３の湯水の循環方向において上流側から、ヒートポンプ式加熱部３３、エンジン排熱利用式加熱部３４、補助加熱部３５の順に設けられている。
【００２４】
前記補助加熱部３５は、図示はしないが、ガス燃焼式のバーナおよびこのバーナに燃焼用空気を供給するファンなどが設けられ、バーナの燃焼により循環路３を通流する湯水を加熱し、ファンの回転速度およびバーナへの燃料ガス供給量を調整して、補助加熱部３５にて加熱後の湯水の温度を調整するように構成されている。
【００２５】
前記外部放熱部２は、循環路３を通流する湯水と暖房用の熱媒としての温水とを熱交換する暖房用放熱部４２と、循環路３を通流する湯水と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
【００２６】
また、暖房用循環路３ａには、暖房用放熱部４２よりも湯水の循環方向の下流側に暖房用開閉弁４４が設けられ、風呂用循環路３ｂには、風呂用放熱部４３よりも湯水の循環方向の下流側に風呂用開閉弁４５が設けられている。
そして、暖房用循環路３ａの暖房用開閉弁４４よりも湯水循環方向の下流側と風呂用循環路３ｂの風呂用開閉弁４５よりも下流側とがひとつの流路に合流され、その合流された流路に放熱戻りサーミスタ６０が設けられている。
【００２７】
前記暖房用放熱部４２では、暖房ポンプＰ２を作動させることにより、暖房戻り路４６および暖房往き路４７を通して循環する熱媒と循環路３を通流する湯水とを対流させて熱交換させるように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられている。
暖房操作手段Ｊが、暖房戻りサーミスタ４８、暖房往きサーミスタ５０、および、暖房ポンプＰ２などにより構成されている。
【００２８】
前記補給水タンク４９には、水位の上限を検出する上限センサ５１と下限を検出する下限センサ５２とが設けられ、給水路５から分岐されたタンク給水路５３が接続され、そのタンク給水路５３には、補給水電磁弁５４が設けられている。また、暖房戻り路４６と暖房往き路４７とを接続する暖房バイパス路５５が設けられている。
【００２９】
前記風呂用放熱部４３では、風呂ポンプＰ３を作動させることにより、風呂戻り路１８および風呂往き路１９を通して循環する浴槽内の湯水と循環路３を通流する湯水とを対流させて熱交換させるように構成されている。
前記風呂戻り路１８には、浴槽内の湯水の循環方向の上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられている。
風呂操作手段Ｈが、水位センサ５６、風呂戻りサーミスタ５７、二方弁５８、風呂水流スイッチ５９、および、風呂ポンプＰ３などにより構成されている。
【００３０】
前記循環路３には、取り出し路２７との接続箇所から湯水循環方向に、循環ポンプＰ１、ヒートポンプ式加熱部用入口サーミスタ６１、ヒートポンプ式加熱部用開閉弁６２、ヒートポンプ式加熱部３３、エンジン排熱利用式加熱部３４、排熱利用式加熱部出口サーミスタ６３、循環流量センサ６４、循環流量調整弁６５、補助加熱部３５、貯湯サーミスタ６６が設けられている。
また、循環路３には、ヒートポンプ式加熱部３３をバイパスさせるヒートポンプ式加熱部用バイパス路６７が接続され、そのヒートポンプ式加熱部用バイパス路６７には、バイパス用開閉弁６８が設けられている。
【００３１】
循環調整手段Ｆが、排熱利用式加熱部出口サーミスタ６３、循環流量センサ６４、循環流量調整弁６５、貯湯サーミスタ６６などにより構成され、循環流量調整弁６５の開度を調整して、加熱部４にて加熱された湯水の温度を調整自在に構成されている。
【００３２】
加熱式循環手段としての湯水循環手段Ｅが、循環路３、循環ポンプＰ１、および、ヒートポンプ式加熱部用開閉弁６２、バイパス用開閉弁６８、上部開閉弁２８、戻し開閉弁２９などの複数の開閉弁により構成され、貯湯タンク１の底部から循環路３に取り出した湯水を、ヒートポンプ式加熱部３３を通過させる状態で循環させる非バイパス循環状態と、貯湯タンク１の底部から循環路３に取り出した湯水を、ヒートポンプ式加熱部３３を通過させない状態で循環させるバイパス循環状態とに切り換え自在に構成されている。
【００３３】
また、湯水循環手段Ｅは、上述の非バイパス循環状態とバイパス循環状態に加えて、加熱部４にて加熱された湯水を貯湯タンク１の底部に戻す状態で循環させる初期循環状態と、補助加熱部３５にて加熱された湯水を暖房用放熱部４２を通過させかつヒートポンプ式加熱部３３を通過させない状態で循環させる暖房循環状態と、補助加熱部３５にて加熱された湯水を風呂用放熱部４３を通過させかつヒートポンプ式加熱部３３を通過させない状態で循環させる追焚き循環状態と、補助加熱部３５にて加熱された湯水を暖房用放熱部４２および風呂用放熱部４３を通過させかつヒートポンプ式加熱部３３を通過させない状態で循環させる放熱循環状態とに切り換え自在に構成されている。
【００３４】
そして、湯水循環手段Ｅの各循環状態への切換について詳述はしないが、循環ポンプＰ１を作動させた状態で、上部開閉弁２８、ヒートポンプ式加熱部用開閉弁６２、バイパス用開閉弁６８、戻し開閉弁２９、暖房用開閉弁４４、および、風呂用開閉弁４５の複数の開閉弁を開閉することにより各循環状態に切り換えるようにしている。
例えば、上部開閉弁２８およびヒートポンプ式加熱部用開閉弁６２を開弁させ、かつ、バイパス用開閉弁６８、戻し開閉弁２９、暖房用開閉弁４４、および、風呂用開閉弁４５を閉弁させて、非バイパス循環状態に切り換えるようにしている。
【００３５】
前記エンジンヒートポンプ式冷暖房装置Ｂは、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒートポンプ式加熱部３３とは、冷媒配管７３で接続され、エンジンヒートポンプ式冷暖房装置Ｂにおける冷媒をヒートポンプ式加熱部３３に供給できるように構成されている。
【００３６】
前記複数の室内機７１の夫々には、電子膨張弁７４、室内熱交換器７５、その室内熱交換器７５で温調した空気を空調対象空間へ送出する室内空調用送風機７６が備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、および、ラジエーター用送風機８４も備えられている。
ヒートポンプ運転手段Ｋが、電子膨張弁７４、ＨＰ加熱用電子膨張弁７４ａ、室内空調用送風機７６、ガスエンジン７７、回転速度センサ７７ａ、圧縮機７８、四方弁８０、室外空調用送風機８２、低圧検出手段８７、および、高圧検出手段８８などにより構成されている。
【００３７】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００３８】
そして、エンジンヒートポンプ式冷暖房装置Ｂは、空調リモコンＲ１の指令などに基づいてヒートポンプ運転制御部Ｄにて運転が制御され、ガスエンジン７７により圧縮機７８を作動させて、四方弁８０の切換え操作により冷房運転と暖房運転とを選択自在に構成され、室内機７１の電子膨張弁７４の開閉制御により、空調要求のある部屋の空調を行うように構成されている。
また、ヒートポンプ式加熱部３３にて循環路３の湯水を加熱するときには、暖房運転させるとともに、ＨＰ加熱用電子膨張弁７４ａを制御して、ヒートポンプ式加熱部３３に冷媒を供給するように構成されている。
【００３９】
前記冷房運転においては、図２の実線で示すように、冷媒を流動させて、室内熱交換器７５を蒸発器として機能させて、空調対象空間への供給空気を冷却温調し、室外熱交換器８１を凝縮器として機能させて外気に対して放熱するようにしている。
この冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
【００４０】
前記暖房運転においては、図２の点線で示すように、冷媒を流動させて、室内熱交換器７５を凝縮器として機能させて、空調対象空間への供給空気を加熱温調し、室外熱交換器８１を蒸発器として機能させて外気から吸熱するようにしている。
この暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
そして、この暖房運転において、ＨＰ加熱用電子膨張弁７４ａを開弁状態にして、冷媒配管７３を通してヒートポンプ式加熱部３３に高圧冷媒を供給することにより循環路３を通流する湯水を加熱するようにしている。
【００４１】
また、冷房運転および暖房運転において、排熱切換機構８６を加熱状態に切り換えることによって、エンジン排熱利用式加熱部３４に冷却水を供給することにより循環路３を通流する湯水を加熱するようにしている。
【００４２】
前記貯湯ユニット制御部Ｃとヒートポンプ運転制御部Ｄとは、図３に示すように、エンジンヒートポンプ式冷暖房装置Ｂが空調運転中であることや、エンジンヒートポンプ式冷暖房装置Ｂへの駆動要求などの制御信号を送受信可能に構成にされ、貯湯ユニット制御部Ｃとヒートポンプ運転制御部Ｄとにより運転制御手段Ｕが構成されている。
前記ヒートポンプ運転制御部Ｄは、空調対象空間としての各部屋に設置されている空調リモコンＲ１の指令および貯湯ユニット制御部Ｄからの制御信号に基づいて、ヒートポンプ運転手段Ｋおよび冷却水循環手段Ｌの夫々の運転を制御して、空調対象空間への冷房運転や暖房運転などの空調運転を実行するように構成されている。
前記貯湯ユニット制御部Ｃは、貯湯リモコンＲ２の指令およびヒートポンプ運転制御部Ｄからの制御信号に基づいて、湯水循環手段Ｅ、循環調整手段Ｆ、給湯操作手段Ｇ、風呂操作手段Ｈ、暖房操作手段Ｊ、補助加熱部３５の夫々の運転を制御して、貯湯タンク１内に湯水を貯湯する貯湯運転、外部放熱部２にて放熱する放熱運転、貯湯タンク１内の貯湯量が最低確保量未満のときに給湯する給湯優先運転などの夫々の運転を実行するように構成されている。
【００４３】
以下、各運転について説明を加える。
前記冷房運転について説明すると、ヒートポンプ運転制御部Ｄは、空調リモコンＲ１から冷房要求があると、冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
また、ヒートポンプ運転制御部Ｄは、冷房運転中に、貯湯ユニット制御部Ｃに対して、ＨＰ加熱不許可の制御信号を送信するようにしている。
【００４４】
前記暖房運転について説明をすると、ヒートポンプ運転制御部Ｄは、空調リモコンＲ１から暖房要求があると、暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００４５】
また、ヒートポンプ運転制御部Ｄは、例えば、暖房対象が複数の部屋であるなど、暖房負荷が設定暖房負荷以上の暖房運転、および、立ち上げ用の暖房運転中であるときには、貯湯ユニット制御部Ｃに対して、ＨＰ加熱不許可の制御信号を送信し、例えば、暖房対象がひとつの部屋であるなど、暖房負荷が設定暖房負荷未満の暖房運転のときには、貯湯ユニット制御部Ｃに対して、ＨＰ加熱許可の制御信号を送信するようにしている。
【００４６】
ちなみに、ヒートポンプ運転制御部Ｄは、暖房要求がないときに、貯湯ユニット制御部Ｃから暖房運転を要求する制御信号を受信すると、ＨＰ加熱用電子膨張弁７４ａを開弁状態にして、冷媒配管７３を通してヒートポンプ式加熱部３３に高圧冷媒を供給させる状態で、暖房運転を実行するように構成されている。
【００４７】
上述の冷房運転および暖房運転の空調運転において、ヒートポンプ運転制御部Ｄは、エンジンヒートポンプ式冷暖房装置Ｂの運転状況が、貯湯用設定時間以上連続して運転することができる状況であるか否かを判別して、エンジンヒートポンプ式冷暖房装置Ｂの運転状況が貯湯用設定時間以上連続して運転することが予測できる状況であるときには、貯湯ユニット制御部Ｃに対して、不要熱用の貯湯運転を要求し、湯水循環手段Ｅを運転させて不要熱用の貯湯運転を実行し、かつ、エンジンヒートポンプ式冷暖房装置Ｂの運転状況が貯湯用設定時間以上連続して運転することが予測できる状況でないときには、湯水循環手段Ｅによる不要熱用の貯湯運転の実行を禁止するように構成されている。
【００４８】
説明を加えると、ヒートポンプ運転制御部Ｄは、エンジンヒートポンプ式冷暖房装置Ｂの運転状況が、貯湯用設定時間以上連続して運転することができる状況であるか否かを判別する判別処理を実行し、その判別処理において、エンジンヒートポンプ式冷暖房装置Ｂの運転状況が貯湯用設定時間以上連続して運転することが予測できる状況であると判別したときのみ、不要熱用空調運転を実行するとともに、貯湯ユニット制御部Ｃに対して、不要熱用の貯湯運転を要求する制御信号を送信するようにしている。
【００４９】
前記判別処理について説明を加えると、ヒートポンプ運転制御部Ｄは、エンジンヒートポンプ式冷暖房装置Ｂが空調運転を可否判別用設定時間（例えば、１０分）以上経過して運転していると、エンジンヒートポンプ式冷暖房装置Ｂの運転状況が、貯湯用設定時間以上連続して運転することができる状況であると判別するとともに、エンジンヒートポンプ式冷暖房装置Ｂが貯湯用設定時間以上連続して運転することが予測できるとして設定された貯湯用時間帯にも、エンジンヒートポンプ式冷暖房装置Ｂの運転状況が、貯湯用設定時間以上連続して運転することができる状況であると判別するように構成されている。
【００５０】
前記貯湯用時間帯の設定について説明を加えると、ヒートポンプ運転制御手段Ｄが、空調リモコンＲ１などにて人為的に設定された時間帯を貯湯用時間帯として設定するとともに、空調運転を実行した実行頻度の多い時間帯を貯湯用時間帯として学習機能により自動的に設定するように構成されている。
前記学習機能について説明を加えると、例えば、１日を基準周期とし、その１日を設定時間幅（例えば、１時間）ごとに複数の基準時間帯に区分けして、基準周期ごとに、各基準時間帯について、実際に暖房運転および冷房運転の空調運転を実行したか否かを記憶し、複数日（例えば、３日）連続して空調運転を実行している基準時間帯を貯湯用時間帯として設定するように構成されている。
【００５１】
前記エンジンヒートポンプ式冷暖房装置Ｂにおける不要熱用空調運転について説明を加えると、前記ヒートポンプ運転制御部Ｄは、不要熱用空調運転として、冷房要求があるときには、ガスエンジン７７の排熱を貯湯ユニットＡに供給しながら、空調対象空間を冷房する不要熱用冷房運転を実行し、暖房要求があるときには、ガスエンジン７７の排熱およびエンジンヒートポンプ式冷暖房装置Ｂの冷媒を貯湯ユニットＡに供給しながら、空調対象空間を暖房する不要熱用暖房運転を実行するように構成されている。
【００５２】
前記要熱用冷房運転において、ヒートポンプ運転制御部Ｄは、上述の冷房運転を実行するとともに、貯湯ユニット制御部Ｃに対して、不要熱用の貯湯運転を要求する制御信号を送信するようにしている
前記不要熱用暖房運転において、ヒートポンプ運転制御部Ｄは、上述の暖房運転を実行するとともに、貯湯ユニット制御部Ｃに対して、不要熱用の貯湯運転を要求する制御信号を送信し、暖房負荷が設定暖房負荷未満の暖房運転であると、ＨＰ加熱用電子膨張弁７４ａを開弁状態にして、冷媒配管７３を通してヒートポンプ式加熱部３３に高圧冷媒を供給させるようにしている。
【００５３】
前記貯湯運転について説明すると、貯湯ユニット制御部Ｃは、ヒートポンプ運転制御部Ｄから不要熱用の貯湯運転を要求する制御信号を受信していると、貯湯リモコンＲ２による貯湯要求の有無にかかわらず、湯水循環手段Ｅを非バイパス循環状態で運転させるとともに、貯湯サーミスタ６６による検出温度が貯湯設定温度（例えば、８０℃）になるように循環調整手段Ｆを制御するようにしている。
このようにして、貯湯ユニット制御部Ｃは、エンジンヒートポンプ式冷暖房装置Ｂの運転状況が、貯湯用設定時間以上連続して運転することができる状況であるときには、湯水循環手段Ｅを運転させて、エンジンヒートポンプ式冷暖房装置Ｂの不要熱にて貯湯タンク１に貯湯するようにしている。
【００５４】
また、貯湯運転において、貯湯ユニット制御部Ｃは、貯湯リモコンＲ２による貯湯要求があるときには、エンジンヒートポンプ式冷暖房装置Ｂの運転状態に基づいて、湯水循環手段Ｅを非バイパス循環状態またはバイパス循環状態に切り換えて、貯湯タンク１に貯湯するように構成されている。
【００５５】
説明を加えると、貯湯ユニット制御部Ｃは、ヒートポンプ運転制御部ＤからＨＰ加熱不許可の制御信号を受信していると、湯水循環手段Ｅをバイパス循環状態に切り換えて、貯湯サーミスタ６６による検出温度が貯湯設定温度（例えば、８０℃）になるように、補助加熱部３５の加熱量を調整すべく補助加熱部３５の運転を制御するようにしている。
そして、貯湯ユニット制御部Ｃは、ヒートポンプ運転制御部ＤからＨＰ加熱許可の制御信号を受信していると、湯水循環手段Ｅを非バイパス循環状態に切り換えて運転させるとともに、貯湯サーミスタ６６による検出温度が貯湯設定温度（例えば、８０℃）になるように、循環路３の循環量を調整すべく循環調整手段Ｆの運転を制御するようにしている。
【００５６】
また、貯湯運転において、貯湯ユニット制御部Ｃは、ヒートポンプ運転制御部Ｄからエンジンヒートポンプ式冷暖房装置Ｂが空調運転中であるとの制御信号を受信していなければ、ヒートポンプ運転制御部Ｄに対して、暖房運転を要求する制御信号を送信するとともに、湯水循環手段Ｅを非バイパス循環状態に切り換えて運転させるとともに、貯湯サーミスタ６６による検出温度が貯湯設定温度（例えば、８０℃）になるように、循環路３の循環量を調整すべく循環調整手段Ｆの運転を制御するようにしている。
【００５７】
ちなみに、貯湯運転において、貯湯ユニット制御部Ｃは、貯湯サーミスタ６６の検出温度が貯湯設定温度（例えば、８０℃）未満のときには、湯水循環手段Ｅを初期循環状態に切り換えて、加熱部４にて加熱された湯水を貯湯タンク１の底部に戻して、貯湯タンク１内に形成された温度成層が乱れるのを防止するようにしている。
また、エンジンヒートポンプ式冷暖房装置Ｂが、冷媒が供給されていない熱交換器に対して冷媒を強制的に供給することによって熱交換器に溜まっている冷媒を回収するための油回収運転として、ヒートポンプ式加熱部３３に冷媒を供給するときには、湯水循環手段Ｅをバイパス循環状態に切り換えるようにしている。
【００５８】
前記放熱運転について説明すると、貯湯ユニット制御部Ｃは、追焚き要求のみの要求があると、追焚き運転を実行し、放熱用暖房要求のみの要求があると、放熱用暖房運転を実行し、追焚き要求および放熱用暖房要求の両要求があると、放熱用暖房・追焚き同時運転を実行するように構成されている。
【００５９】
前記追焚き運転について説明を加えると、貯湯ユニット制御部Ｃは、湯水循環手段Ｅを追焚き循環状態に切り換え、貯湯サーミスタ６６による検出温度が追焚き用設定温度になるように補助加熱部３５が加熱量を調整すべく補助加熱部３５の運転を制御するとともに、風呂ポンプＰ３を作動させて浴槽内の湯水を風呂戻り路１８および風呂往き路１９を通して循環させるように風呂操作手段Ｈの運転を制御するようにしている。
そして、風呂用放熱部４３において循環路３を流動する湯水にて浴槽内の湯水を加熱して追焚きし、風呂戻りサーミスタ５７の検出温度が追焚き用設定温度以上になると、風呂ポンプＰ３の作動を停止するとともに、補助加熱部３５、湯水循環手段Ｅ、および、風呂操作手段Ｈの運転を停止させる。
【００６０】
前記放熱用暖房運転について説明を加えると、貯湯ユニット制御部Ｃは、湯水循環手段Ｅを追焚き循環状態に切り換え、貯湯サーミスタ６６による検出温度が追焚き用設定温度になるように補助加熱部３５が加熱量を調整すべく補助加熱部３５の運転を制御するとともに、暖房ポンプＰ２を作動させて暖房端末（例えば、床暖房装置や浴室暖房装置）からの熱媒を暖房戻り路４６および暖房往き路４７を通して循環させるように暖房操作手段Ｊの運転を制御するようにしている。そして、暖房用放熱部４２において循環路３を流動する湯水にて暖房端末からの熱媒を加熱して、その熱媒を暖房端末に循環供給し、放熱用暖房要求が解除されると、暖房ポンプＰ２の作動を停止するとともに、補助加熱部３５、湯水循環手段Ｅ、および、暖房操作手段Ｊの運転を停止させる。
【００６１】
前記放熱用暖房・追焚き同時運転について説明を加えると、湯水循環手段Ｅを放熱循環状態に切り換え、貯湯サーミスタ６６による検出温度が追焚き用設定温度になるように補助加熱部３５が加熱量を調整すべく補助加熱部３５の運転を制御するようにしている。
そして、追焚き運転や放熱用運転と同様に、風呂操作手段Ｈおよび暖房操作手段Ｊの運転を制御して、浴槽の湯水を追焚きするとともに、暖房端末に暖房用放熱部４２にて加熱された熱媒を循環供給するようにしている。
【００６２】
前記給湯優先運転は、貯湯タンク１の貯湯量が最低確保量未満の状態において、給湯栓が開操作されて給湯するときに実行され、湯水循環手段Ｅをバイパス循環状態に切り換え、補助加熱部３５にて加熱された湯水を上部接続路２５から給湯路６に給湯するようにしている。
そして、給湯設定温度、貯湯出口サーミスタ１３および給水サーミスタ９の検出情報に基づいて、一般給湯路１６に給湯するときには、給湯する湯水の温度が給湯設定温度になるように、また、湯張り路１７に給湯するときには、給湯する湯水の温度が湯張り設定温度になるように、ミキシングバルブ８の開度を調整するとともに、ミキシングサーミスタ１４の検出情報に基づいて、その検出温度と給湯設定温度または湯張り設定温度との偏差に基づいてミキシングバルブ８の開度を微調整するように給湯操作手段Ｇの運転を制御して、所望温度の湯水を給湯するようにしている。
ちなみに、貯湯タンク１の貯湯量が最低確保量以上であるときには、貯湯タンク１内に貯湯されている湯水を給湯路６に給湯するようにしている。
【００６３】
前記冷房運転および暖房運転におけるヒートポンプ運転制御部Ｄの制御動作、および、貯湯運転における貯湯ユニット制御部Ｃの制御動作について、図４〜図６のフローチャートに基づいて説明する。
【００６４】
前記冷房運転においては、図４に示すように、空調リモコンＲ１から冷房要求があると開始され、貯湯ユニット制御部Ｃに対して、ＨＰ加熱不許可の制御信号を送信するようにしている（ステップ１）。
そして、判別処理を実行して、エンジンヒートポンプ式冷暖房装置Ｂの運転状況が貯湯用設定時間以上連続して運転することが予測できる状況である不要熱貯湯可能状態であるか否かを判別する（ステップ２）。
【００６５】
前記判別処理において、不要熱貯湯可能状態と判別すると、不要熱用冷房運転を実行して、ガスエンジン７７の排熱を貯湯ユニットＡに供給しながら、空調対象空間を冷房する不要熱用冷房運転を実行し、不要熱貯湯可能状態と判別されなければ、空調対象空間を冷房するだけの通常の冷房運転を実行するようにしている（ステップ３，４）。
そして、冷房要求がなくなると、ガスエンジン７７などの運転を停止させる停止処理を実行して、冷房運転を停止させるようにしている（ステップ５，６）。
【００６６】
前記暖房運転においては、図５に示すように、空調リモコンＲ１から暖房要求があると、例えば、最大能力にて空調対象空間を暖房させる立ち上げ用の暖房運転を実行するとともに、貯湯ユニット制御部Ｃに対して、ＨＰ加熱不許可の制御信号を送信するようにしている（ステップ１１，１２）。
その後、立ち上げ用の暖房運転を開始してから立ち上げ用設定時間が経過するなどして、切換条件が満たされると、立ち上げ用の暖房運転を終了し、暖房負荷に応じた暖房運転を実行する（ステップ１３）。
また、この暖房運転において、暖房負荷が設定暖房負荷以上のときには、貯湯ユニット制御部Ｃに対して、ＨＰ加熱不許可の制御信号を送信し、暖房負荷が設定暖房負荷未満のときには、貯湯ユニット制御部Ｃに対して、ＨＰ加熱許可の制御信号を送信するようにしている（ステップ１４〜１６）。
【００６７】
そして、判別処理を実行して、エンジンヒートポンプ式冷暖房装置Ｂの運転状況が貯湯用設定時間以上連続して運転することが予測できる状況である不要熱貯湯可能状態であるか否かを判別する（ステップ１７）。
前記判別処理において、不要熱貯湯可能状態と判別されると、ガスエンジン７７の排熱およびエンジンヒートポンプ式冷暖房装置Ｂの冷媒を貯湯ユニットＡに供給しながら、空調対象空間を暖房する不要熱用暖房運転を実行し、不要熱貯湯可能状態と判別されなければ、空調対象空間を暖房するだけの通常の暖房運転を実行するようにしている（ステップ１８，１９）。
そして、暖房要求がなくなると、ガスエンジン７７などの運転を停止させる停止処理を実行して、暖房運転を停止させるようにしている（ステップ２０，２１）。
【００６８】
前記貯湯運転においては、図６に示すように、ヒートポンプ運転制御部Ｄから不要熱用の貯湯運転が要求されるか、あるいは、貯湯リモコンＲ２から貯湯要求があると開始する。
そして、ヒートポンプ運転制御部Ｄから不要熱用の貯湯運転が要求されているときに（ステップ３１）、ＨＰ加熱不許可の指令が指令されていると、湯水循環手段Ｅをバイパス循環状態にて運転させて、貯湯タンク１内の湯水をエンジン排熱利用式加熱部３４にて加熱して貯湯するようにしている（ステップ３２，３３）。
また、ヒートポンプ運転制御部Ｄから不要熱用の貯湯運転が要求されているときに、ＨＰ加熱許可の指令が指令されていると、湯水循環手段Ｅを非バイパス循環状態にて運転させて、貯湯タンク１内の湯水をヒートポンプ式加熱部３３およびエンジン排熱利用式加熱部３４にて加熱して貯湯するようにしている（ステップ３４）。
【００６９】
そして、貯湯リモコンＲ２から貯湯要求があるときに（ステップ３１）、ＨＰ加熱不許可の指令が指令されていると、湯水循環手段Ｅをバイパス循環状態にて運転させて、貯湯タンク１内の湯水を補助加熱部３５にて加熱して貯湯するようにしている（ステップ３５，３６）。
また、貯湯リモコンＲ２から貯湯要求があるときに、ＨＰ加熱許可の指令が指令されていると、湯水循環手段Ｅを非バイパス循環状態にて運転させて、貯湯タンク１内の湯水をヒートポンプ式加熱部３３にて加熱して貯湯するようにしている（ステップ３７）。
【００７０】
このようにして、ヒートポンプ運転制御部Ｄから不要熱用の貯湯運転が要求されるか、あるいは、貯湯リモコンＲ２から貯湯要求があると、貯湯タンク１の底部から取り出した湯水を加熱部４にて加熱して貯湯タンク１の上部に戻して貯湯するようにしている。
そして、ヒートポンプ運転制御部Ｄから不要熱用の貯湯運転が要求されず、かつ、貯湯リモコンＲ２から貯湯要求がなくなると、湯水循環手段Ｅおよび循環調整手段Ｆの運転を停止させる停止処理を実行して、貯湯運転を停止させるようにしている（ステップ３８，３９）。
【００７１】
〔別実施形態〕
（１）上記実施形態では、ヒートポンプ運転制御部Ｄが、判別処理において、エンジンヒートポンプ式冷暖房装置Ｂが空調運転を可否判別用設定時間（例えば、１０分）以上経過して運転していると、エンジンヒートポンプ式冷暖房装置Ｂの運転状況が、貯湯用設定時間以上連続して運転することができる状況であると判別するとともに、エンジンヒートポンプ式冷暖房装置Ｂが貯湯用設定時間以上連続して運転することが予測できるとして設定された貯湯用時間帯にも、エンジンヒートポンプ式冷暖房装置Ｂの運転状況が、貯湯用設定時間以上連続して運転することができる状況であると判別するように構成されているが、判別処理の制御動作については適宜変更が可能である。
【００７２】
例えば、ヒートポンプ運転制御部Ｄが、判別処理において、エンジンヒートポンプ式冷暖房装置Ｂが空調運転を可否判別用設定時間（例えば、１０分）以上経過して運転しているときのみ、エンジンヒートポンプ式冷暖房装置Ｂの運転状況が、貯湯用設定時間以上連続して運転することができる状況であると判別するように構成したり、エンジンヒートポンプ式冷暖房装置Ｂが貯湯用設定時間以上連続して運転することが予測できるとして設定された貯湯用時間帯のみ、エンジンヒートポンプ式冷暖房装置Ｂの運転状況が、貯湯用設定時間以上連続して運転することができる状況であると判別するように構成することが可能である。
【００７３】
また、判別処理は、ヒートポンプ運転制御部Ｄが実行するものに限らず、例えば、ヒートポンプ運転制御部Ｄから貯湯ユニット制御部Ｃに、空調負荷に応じた１〜７までの負荷信号を送受信自在に構成して、貯湯ユニット制御部Ｃが、その負荷信号に基づいて、エンジンヒートポンプ式冷暖房装置Ｂの運転状況が、貯湯用設定時間以上連続して運転することができる状況であるか否かを判別することも可能である。
【００７４】
ちなみに、貯湯用時間帯を設定する学習機能については、上記実施形態に示したものに限らず、例えば、１日の実際の空調運転の開始時刻と終了時刻とを記憶し、複数日（例えば、３日）連続して空調運転した時間帯を求めて、その時間帯を貯湯用時間帯として設定することも可能であり、その他各種の学習機能を適応することが可能である。
【００７５】
（２）上記実施形態では、ヒートポンプ運転制御部Ｄが、判別処理を実行し、エンジンヒートポンプ式冷暖房装置Ｂの運転状況が、貯湯用設定時間以上連続して運転することができる状況であると、貯湯ユニット制御部Ｃが、不要熱用の貯湯運転を実行するように構成されているが、ヒートポンプ運転制御部Ｄが、判別処理を実行せず、貯湯ユニット制御部Ｃが、不要熱用の貯湯運転を実行しないようにして実施することも可能である。
【００７６】
（３）上記実施形態では、ガスエンジン７７の冷却水をエンジン排熱利用式加熱部３４に供給し、湯水循環手段Ｅを運転させて、ガスエンジン７７の排熱にて貯湯タンク１への貯湯を行うための条件として、エンジンヒートポンプ式冷暖房装置Ｂの運転状況が、貯湯用設定時間以上連続して運転することができる状況であり、かつ、冷却水路８５を通流する冷却水が加熱用設定温度以上になることであるが、冷却水路８５を通流する冷却水が加熱用設定温度以上になるのみで、ガスエンジン７７の冷却水をエンジン排熱利用式加熱部３４に供給し、湯水循環手段Ｅを運転させるようにしてもよい。
【００７７】
（４）上記実施形態では、加熱部４を、ヒートポンプ式加熱部３３、エンジン排熱利用式加熱部３４、補助加熱部３５とから構成しているが、例えば、加熱部４を、ヒートポンプ式加熱部３３と補助加熱部３５とから構成することも可能であり、加熱部４の構成については、適宜変更が可能である。
【００７８】
（５）上記実施形態では、貯湯ユニットＡは、外部放熱部２を設けて、貯湯運転および給湯優先運転に加えて、放熱運転を実行するようにしているが、外部放熱部２を設けずに、貯湯運転および給湯優先運転のみを実行するようにして実施することも可能である。
【００７９】
（６）上記実施形態では、ガスエンジン７７にてエンジンヒートポンプ式冷暖房装置Ｂを運転させるガスエンジン式のヒートポンプ装置を例示したが、電気式のヒートポンプ装置に適応して実施することも可能である。
【図面の簡単な説明】
【図１】貯湯ユニットの概略構成図
【図２】エンジンヒートポンプ式冷暖房装置の概略構成図
【図３】エンジンヒートポンプ式冷暖房装置システムの制御ブロック図
【図４】冷房運転における制御動作を示すフローチャート
【図５】暖房運転における制御動作を示すフローチャート
【図６】貯湯運転における制御動作を示すフローチャート
【符号の説明】
１　　　　　　　貯湯タンク
４　　　　　　　加熱手段
３３　　　　　　ヒートポンプ式加熱部
３５　　　　　　補助加熱部
Ｅ　　　　　　　加熱式循環手段
Ｕ　　　　　　　運転制御手段
【図１】
2004012040.tif 000003
【図２】
2004012040.tif 000004
【図３】
2004012040.tif 000005
【図４】
2004012040.tif 000006
【図５】
2004012040.tif 000007
【図６】
2004012040.tif 000008